(57)【要約】【課題】像倍率変化のあるレンズを使って、撮像面内の測距枠内のコントラスト値に基づき測距する場合でも、精度の良い測距をすることができる撮像装置を提供する。【解決手段】被写体を撮像して画像信号を出力する撮像素子１４と、上記画像信号のコントラスト値を取得し、取得したコントラスト値に基づいて焦点検出を行い、焦点検出結果に基づきレンズユニット３００を駆動して合焦制御処理を行うシステム制御部５０と、上記画像信号に対応する画像を逐次表示する画像表示部２９とを備える撮像装置１００を設ける。システム制御部５０は、レンズユニット３００の少なくとも像倍率を含むレンズ情報に基づいて、コントラスト値を取得するためのＡＦ枠のサイズまたは位置を変更する。【選択図】図２
2014006477.tif 000002
【特許請求の範囲】
【請求項１】
被写体を撮像して画像信号を出力する撮像素子と、
前記画像信号のコントラスト値を取得し、取得した該コントラスト値に基づいて焦点検出を行い、該焦点検出結果に基づきレンズ装置を駆動して合焦制御処理を行う制御手段と、
前記画像信号に対応する画像を逐次表示する表示手段とを備え、
前記制御手段は、前記レンズ装置の少なくとも像倍率を含むレンズ情報に基づいて、前記コントラスト値の取得領域のサイズまたは位置を変更する
ことを特徴とする撮像装置。
【請求項２】
前記制御手段は、前記レンズ情報に基づいて、前記レンズ装置の像倍率が変化するかを判断し、前記レンズ装置の像倍率が変化すると判断した場合に、前記コントラスト値の取得領域のサイズまたは位置を変更する
ことを特徴とする請求項１に記載の撮像装置。
【請求項３】
前記制御手段は、前記レンズ装置の像倍率が変化すると判断した場合に、前記被写体の撮像面における前記コントラスト値の取得領域の位置を判断し、該判断された前記取得領域の位置に応じて、前記コントラスト値の取得領域のサイズまたは位置の変更処理を行う
ことを特徴とする請求項２に記載の撮像装置。
【請求項４】
前記制御手段は、前記被写体の撮像面における前記コントラスト値の取得領域の位置が前記被写体の撮像面の中心近傍であると判断した場合は、該取得領域のサイズを変更し、前記取得領域の位置が前記被写体の撮像面の周辺近傍であると判断した場合は、該取得領域のサイズまたは位置を変更する
ことを特徴とする請求項３に記載の撮像装置。
【請求項５】
前記制御手段は、前記取得領域が前記撮像面の周辺近傍にあると判断した場合であって、前記レンズ装置が含むレンズの駆動方向が前記像倍率が大きくなる方向に行われるときに、前記取得領域のサイズを前記被写体の像高が高くなる方向に拡大する
ことを特徴とする請求項３に記載の撮像装置。
【請求項６】
前記制御手段は、前記取得領域が前記撮像面の周辺近傍にあると判断した場合であって、前記レンズ装置が含むレンズの駆動方向が前記像倍率が小さくなる方向に行われるときに、前記取得領域のサイズを前記被写体の像高が低くなる方向に拡大する
ことを特徴とする請求項３に記載の撮像装置。
【請求項７】
前記制御手段は、前記レンズ装置の像倍率が変化すると判断した場合に、前記取得したコントラスト値に基づいて、前記レンズ装置の焦点位置が予め決められた合焦範囲内であるかを判断し、前記レンズ装置の焦点位置が予め決められた合焦範囲内である場合には、前記取得領域のサイズ、位置の変更を行わない
ことを特徴とする請求項２乃至６のいずれか１項に記載の撮像装置。
【請求項８】
前記制御手段は、前記表示手段に指示して、前記取得領域を示す情報を前記画像信号に対応する画像とともに表示させる
ことを特徴とする請求項１乃至７のいずれか１項に記載の撮像装置。
【請求項９】
前記制御手段は、前記表示手段に対して、前記変更後の取得領域を示す情報を表示しないように指示する
ことを特徴とする請求項１乃至７のいずれか１項に記載の撮像装置。
【請求項１０】
前記レンズ装置が着脱可能であり、
前記レンズ装置から前記レンズ情報を取得する取得手段を有する
ことを特徴とする請求項１乃至９のいずれか１項に記載の撮像装置。
【請求項１１】
被写体を撮像素子で撮像して得られる画像信号のコントラスト値に基づいて焦点検出を行う撮像装置に着脱可能なレンズ装置であって、
前記撮像装置に、前記レンズ装置の少なくとも像倍率を含むレンズ情報を送信する送信手段と、
前記レンズ情報に基づいて前記コントラスト値の取得領域のサイズまたは位置を変更した前記撮像装置から、前記変更後の前記取得領域のコントラスト値に基づく焦点検出結果に応じた駆動信号を受信する受信手段と、
前記受信された駆動信号に基づいて、合焦動作を行う制御手段とを備える
ことを特徴とするレンズ装置。
【請求項１２】
被写体を撮像して画像信号を出力する撮像素子を備える撮像装置の制御方法であって、
前記画像信号のコントラスト値を取得し、取得した該コントラスト値に基づいて焦点検出を行い、該焦点検出結果に基づきレンズ装置を駆動して合焦制御処理を行う制御工程と、
前記画像信号に対応する画像を逐次表示する表示工程とを有し、
前記制御工程では、前記レンズ装置の少なくとも像倍率を含むレンズ情報に基づいて、前記コントラスト値の取得領域のサイズまたは位置を変更する
ことを特徴とする撮像装置の制御方法。
【発明の詳細な説明】
【技術分野】
【０００１】
本発明は、撮像装置、レンズ装置および撮像装置の制御方法に関する。
【背景技術】
【０００２】
レンズの焦点位置を制御して、ピント合わせを行うオートフォーカス（自動焦点調節、以下、「ＡＦ」と記述) 機能を有する撮像装置が提案されている。特許文献１は、レンズユニット内で、カメラ本体から送信された焦点評価値に基づいて焦点状態を検出し、焦点検出領域の大きさを決定してカメラ本体へと引き渡す交換レンズ式カメラシステムを開示している。
【０００３】
ここで、レンズには、焦点調節すると被写体の像倍率が変わるものがある。像倍率変化の影響で、画面中心付近では撮像面上の像の大きさの変化だけだが、画面周辺では像の大きさの変化による像位置の移動も発生する。レンズ交換式カメラでは、使われるレンズによって、像倍率が起こったり、起こらなかったりし、また、像倍率の変化量もレンズによって異なる。
【０００４】
イメージセンサの出力信号に基づいたコントラスト方式（以下、ＴＶＡＦという）による測距では、画面における測距枠内でのコントラスト値を使って測距できる。像倍率変化のあるレンズで、特に画面の周辺情報を使ってＴＶＡＦすると、測距枠に対して、像の出入りが生じて誤測距してしまう。また、測距枠のサイズを大きくしすぎると、枠内の遠近競合によって、測距精度が落ちることが知られているので、通常、適切な所定の大きさとしている。
【先行技術文献】
【特許文献】
【０００５】
【特許文献１】特開平９−１５４８６号公報
【発明の概要】
【発明が解決しようとする課題】
【０００６】
しかし、常に測距領域が一定である場合、像倍率変化のあるレンズで測距するとき、特に、測距枠の位置が撮像面の周辺にあると、像倍率変化によって像の出入りが発生するので、誤測距してしまう。
【０００７】
本発明は、像倍率変化のあるレンズを使って、撮像面内の測距枠内のコントラスト値に基づき測距する場合でも、精度の良い測距をすることができる撮像装置の提供を目的とする。
【課題を解決するための手段】
【０００８】
本発明の一実施形態の撮像装置は、被写体を撮像して画像信号を出力する撮像素子と、前記画像信号のコントラスト値を取得し、取得した該コントラスト値に基づいて焦点検出を行い、該焦点検出結果に基づきレンズ装置を駆動して合焦制御処理を行う制御手段と、前記画像信号に対応する画像を逐次表示する表示手段とを備える。前記制御手段は、前記レンズ装置の少なくとも像倍率を含むレンズ情報に基づいて、前記コントラスト値の取得領域のサイズまたは位置を変更する。
【発明の効果】
【０００９】
本発明の撮像装置によれば、像倍率変化のあるレンズを使って、撮像面内の測距枠内のコントラスト値に基づき測距する場合でも、精度の良い測距をすることができる。
【図面の簡単な説明】
【００１０】
【図１】本実施形態の撮像装置の構成例を示す図である。
【図２】本実施形態の撮像装置の動作処理の例を説明するフローチャートである。
【図３】ＡＦ枠サイズの概略図の例を示す図である。
【発明を実施するための形態】
【００１１】
図１は、本実施形態の撮像装置の構成例を示す図である。図１には、レンズ交換可能な交換レンズシステム（デジタル一眼レフカメラシステム）を示す。なお、図１の構成で本発明の要旨に直接関係しない構成については説明を簡略化または省略する。図１に示す交換レンズシステムは、撮像装置１００とレンズユニット３００とを備える。撮像装置１００は、デジタルカメラ（電子スチルカメラ）である。撮像装置１００には、記録媒体２００とレンズユニット３００とが着脱可能に装着されている。
【００１２】
撮像装置１００は、シャッタ１２、撮像素子１４、画像処理回路２０、画像表示部２９、測距制御部４２、測光制御部４６、システム制御部５０等を備えている。記録媒体２００は、記録部２０２等を備えている。レンズユニット３００は、撮影レンズ３１０、絞り３１２、レンズシステム制御部３５０等を備えるレンズ装置である。撮影レンズ３１０には、焦点調節用のフォーカスレンズや変倍用のズームレンズが含まれる。本実施形態のレンズユニット３００は、フォーカスレンズを光軸方向に移動することにより被写体の像倍率が変化する。フォーカスレンズを至近側と無限側のどちらの方向へどれ位動かすとどのように像倍率が変化するかはレンズユニットの種類によって異なる。このような像倍率変化についての情報は，後述するようにレンズシステム制御部３５０によって記憶されている。
【００１３】
シャッタ１２は、撮像素子１４への露光量を制御する。撮像素子１４は、被写体の光学像を電気信号に変換する。ミラー１３０、１３２は、レンズユニット３００の撮影レンズ３１０に入射した光線を、一眼レフ方式により光学ファインダ１０４に導く。なお、ミラー１３０は、クイックリターンミラー、ハーフミラーのいずれでもよい。
【００１４】
撮影時においては、撮影レンズ３１０に入射した光線は、絞り３１２、レンズマウント３０６、撮像装置１００のレンズマウント１０６、ミラー１３０、シャッタ１２を介して光学像として撮像素子１４に結像される。すなわち、撮像素子１４は、被写体を撮像して画像信号を出力する。Ａ（Analog）／Ｄ（Degital ）変換器１６は、撮像素子１４から出力される画像信号（アナログ信号）をデジタル信号にＡ／Ｄ変換する。
【００１５】
タイミング発生回路１８は、メモリ制御回路２２及びシステム制御部５０により制御され、撮像素子１４、Ａ／Ｄ変換器１６、システム制御５０にクロック信号や制御信号を供給する。画像処理回路２０（算出手段、検知手段）は、Ａ／Ｄ変換器１６またはメモリ制御回路２２から出力されるデータに対して所定の画素補間処理や色変換処理を行う。
【００１６】
また、画像処理回路２０は、連続する２つの画像を使ってフレーム間の相関のズレ量とその方向を求め、必要に応じて、撮像した画像データを用いて所定の演算処理を行う。また、画像処理回路２０は、撮像素子１４から出力される電気信号をＡ／Ｄ変換器１６でＡ／Ｄ変換したデータに基づいて、被写体の輝度を算出する。
【００１７】
画像処理回路２０により得られた演算結果に基づいて、システム制御部５０が、シャッタ制御部４０、測距制御部４２を制御して、ＴＴＬ（スルー・ザ・レンズ）方式のＡＦ（オートフォーカス）処理、ＡＥ（自動露出）処理を行う。システム制御部５０は、コントラスト検出方式（ＴＶＡＦ）を用いたＡＦ処理を行う。具体的には、システム制御部５０は、撮像素子１４から出力される画像信号の、測距枠内のコントラスト値を取得する。システム制御部５０は、取得したコントラスト値に基づいて焦点検出を行い、該焦点検出結果に基づきフォーカスレンズを駆動して合焦制御処理を行う制御手段として機能する。すなわち、測距枠内の領域は、コントラスト値の取得領域である。
【００１８】
また、画像処理回路２０は、撮像した画像データを用いて所定の演算処理を行い、得られた演算結果に基づいてＴＴＬ方式のＡＷＢ（オートホワイトバランス）処理も行う。なお、本実施形態では、撮像装置１００が、測距制御部４２及び測光制御部４６を専用に備える構成としているため、光学ファインダ１０４の使用時は、測距制御部４２及び測光制御部４６を用いてＡＦ処理、ＡＥ処理の各処理を行う。
【００１９】
また、電子ビューファインダ（ＥＶＦ）の使用時は、画像処理回路２０を用いたＡＦ処理、ＡＥ処理の各処理を行うように、システム制御部５０の制御により自動で切り換える。
【００２０】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。タイミング発生回路１８の制御信号は、システム制御部５０にも入力されている。これにより、システム制御部５０は、撮像制御のタイミングを知ることができる。
【００２１】
Ａ／Ｄ変換器１６から出力されるデータは、画像処理回路２０及びメモリ制御回路２２を介して、或いは直接メモリ制御回路２２を介して、画像表示メモリ２４またはメモリ３０に書き込まれる。
【００２２】
画像表示部２９は、例えばＴＦＴＬＣＤから構成されている。ＴＦＴＬＣＤは、Ｔｈｉｎ  Ｆｉｌｍ  Ｔｒａｎｓｆｅｒ  Ｌｉｑｕｉｄ  Ｃｒｙｓｔａｌ  Ｄｉｓｐｌａｙの略称である。画像表示部２９は、撮像装置１００で撮影した被写体の画像信号に対応する画像を逐次表示する。
【００２３】
撮像装置１００は、被写体の撮影前画像を画像表示部２９または画像出力部（不図示）を介して外部のモニタ（不図示）に逐次表示することで、電子ビューファインダ（以下ＥＶＦ）機能を実現している。すなわち、撮像装置１００は、画像表示部２９をＥＶＦとして使用するライブビュー機能を有する。
【００２４】
メモリ３０は、撮影した静止画像や動画像を格納する記憶手段であり、所定枚数の静止画像や所定時間の動画像を格納するのに十分な記憶量を備えている。また、メモリ３０は、システム制御部５０の作業領域としても使用することが可能である。
【００２５】
圧縮・伸長回路３２は、適応離散コサイン変換（Adaptive Discrete Cosine Transform：ＡＤＣＴ）等により画像データを圧縮／伸長する回路である。圧縮・伸長回路３２は、メモリ３０に格納された画像データを読み込んで、圧縮処理または伸長処理を行い、処理を終えた画像データをメモリ３０に書き込む。
【００２６】
シャッタ制御部４０は、測光制御部４６からの測光情報に基づいて、レンズユニット３００の絞り３１２を制御する絞り制御部３４０と連携しながらシャッタ１２を制御する。測距制御部４２は、ＡＦ処理を行う。撮影レンズ３１０に入射した光線を一眼レフ方式により、絞り３１２、レンズマウント３０６、１０６、ミラー１３０、不図示の測距用サブミラーを介して測距制御部４２に入射させると、測距制御部４２は、光学像として結像された画像の合焦状態を測定する。
【００２７】
また、測光制御部４６は、ＡＥ処理を行う。撮影レンズ３１０に入射した光線を一眼レフ方式により、絞り３１２、レンズマウント３０６、１０６、ミラー１３０、１３２、不図示の測光用レンズを介して測光制御部４６に入射させる。これにより、測光制御部４６は、光学像として結像された画像の露出状態を測定する。
【００２８】
なお、ＥＶＦでライブビュー表示中は、撮像素子１４により撮像した画像データを画像処理回路２０により演算した演算結果に基づいて、システム制御部５０が、以下の制御を行う。
【００２９】
システム制御部５０は、シャッタ制御手段４０、絞り制御部３４０、測距制御部３４２に対して制御を行うビデオＴＴＬ方式を用いて、露出制御及びＡＦ制御を行う。システム制御部５０が、測距制御部４２による測定結果と、撮像素子１４により撮像した画像データを画像処理回路２０により演算した演算結果とを共に用いて、ＡＦ制御を行ってもよい。
【００３０】
表示部５４は、システム制御部５０によるコンピュータプログラムの実行に応じて、動作状態やメッセージ等を文字・画像で表示出力／音声出力する。表示部５４は、例えばＬＣＤ・ＬＥＤ・発音素子等の組み合わせから構成され、撮像装置１００の操作部近辺の視認し易い位置に単数（或いは複数）設置されている。また、表示部５４は、その一部の機能が光学ファインダ１０４内に設置されている。表示内容の詳細は省略する。
【００３１】
シャッタスイッチＳＷ１（６２）は、シャッタボタン（不図示）の操作途中でＯＮとなる。これにより、ＡＦ処理、ＡＥ処理、ＡＷＢ処理、ＥＦ処理等の動作開始が指示される。
【００３２】
シャッタスイッチＳＷ２（６４）は、シャッタボタンの操作完了でＯＮとなる。これにより、一連の処理（露光処理、現像処理、記録処理）の動作開始が指示される。露光処理では、システム制御部５０は、撮像素子１４から読み出した信号をＡ／Ｄ変換器１６、メモリ制御回路２２を介してメモリ３０に画像データとして書き込む。現像処理では、システム制御部５０は、画像処理回路２０やメモリ制御回路２２での演算を用いて行う。記録処理では、システム制御部５０は、メモリ３０から画像データを読み出し、圧縮・伸長回路３２で圧縮を行い、記録媒体２００に書き込む。
【００３３】
操作部７０は、メニューボタン、セットボタン、上下左右方向入力ボタン、クイックレビューＯＮ／ＯＦＦスイッチ、圧縮モードスイッチ、再生スイッチ、ＡＦモード設定スイッチ等を備える。操作部７０の詳細は省略する。
【００３４】
インタフェース部９０は、撮像装置１００と記録媒体２００との間のインタフェースを司る。コネクタ９２は、記録媒体２００のコネクタ２０６と接続され、撮像装置１００を記録媒体２００に電気的に接続する。インタフェース部９０及びコネクタ９２の詳細は省略する。
【００３５】
光学ファインダ１０４は、撮影レンズ３１０に入射した光線を、一眼レフ方式により、絞り３１２、レンズマウント３０６、１０６、ミラー１３０、１３２を介して導き、光学像として結像し表示する。これにより、画像表示部２９によるＥＶＦ機能を使用せずに、光学ファインダ１０４のみを用いた撮影が可能である。
【００３６】
また、光学ファインダ１０４内には、表示部５４の一部の機能（例えば、合焦表示、手振れ警告表示、フラッシュ充電表示、シャッタスピード表示、絞り値表示、露出補正表示等）が設置されている。
【００３７】
インタフェース部１２０は、レンズマウント１０６内において撮像装置１００をレンズユニット３００に接続する。コネクタ１２２は、レンズユニット３００のコネクタ３２２と接続され、撮像装置１００をレンズユニット３００に電気的に接続する。
【００３８】
撮像装置１００のレンズマウント１０６及び／またはコネクタ１２２にレンズユニット３００が装着されているか否かは、検知部（不図示）で検知する。コネクタ１２２の詳細は省略する。
【００３９】
記録媒体２００は、例えば、メモリカードまたはハードディスクから構成される。記録媒体２００は、半導体メモリまたは磁気ディスクから構成される記録部２０２、撮像装置１００とのインタフェースを司るインタフェース部２０４、撮像装置１００と接続を行うコネクタ２０６を備える。
【００４０】
レンズユニット３００は、交換レンズタイプである。レンズユニット３００は、撮影レンズ３１０、絞り３１２、レンズマウント３０６、インタフェース部３２０、コネクタ３２２、絞り制御部３４０、測距制御部３４２、レンズシステム制御部３５０等を備える。
【００４１】
絞り３１２は、撮像装置１００の撮像素子１４に対する光量を調節する。レンズマウント３０６は、レンズユニット３００を撮像装置１００に対し機械的に結合するものであり、レンズユニット３００を撮像装置１００と電気的に接続する各種機能を含む。インタフェース部３２０は、レンズマウント３０６内においてレンズユニット３００を撮像装置１００に接続する。コネクタ３２２は、レンズユニット３００を撮像装置１００に電気的に接続する。コネクタ３２２の詳細は省略する。
【００４２】
絞り制御部３４０は、測光制御部４６からの測光情報、または撮像素子１４により撮像した画像データを画像処理回路２０により演算した演算結果に基づいて、シャッタ制御部４０と連携しながら絞り３１２を制御する。
【００４３】
測距制御部３４２は、撮影レンズ３１０のフォーカシングを制御する。レンズスイッチ７４は、測距制御部３４２のフォーカシング制御を行うか（ＡｕｔｏＦｏｃｕｓ動作するか）、否か（ＭａｎｕａｌＦｏｃｕｓ動作するか）を切り替えるスイッチである。
【００４４】
レンズシステム制御部３５０は、レンズユニット３００全体を制御する。レンズシステム制御部３５０は、動作用の定数、変数、プログラム等を記憶する。また、レンズシステム制御部３５０は、レンズユニット固有の番号等の識別情報、管理情報、開放絞り値や最小絞り値、焦点距離、像倍率変化の有無やその量等の機能情報、現在や過去の各設定値等の情報を記憶する。レンズユニット３００を撮像装置１００に電気的に接続すると、レンズシステム制御部３５０は、これらの情報をレンズ情報として、レンズスイッチ７４の状態とともに、適宜、システム制御部５０に送信する。システム制御部５０は、受信したレンズ情報に基づいて、測距枠のサイズまたは位置を変更する。レンズシステム制御部３５０は、変更された測距枠内のコントラスト値に基づく焦点検出結果に応じた駆動信号をシステム制御部５０から受信する。そして、レンズシステム制御部３５０は、受信した駆動信号に基づいて、合焦動作（フォーカシング制御）を実行する。
【００４５】
図２は、本実施形態の撮像装置の動作処理の例を説明するフローチャートである。この動作処理は、システム制御部５０が、所定の記憶手段に記憶されたコンピュータプログラムを実行することによって実現される。以下に、図２を参照して、ライブビュー表示中のＴＶＡＦを説明する。
【００４６】
まず、ユーザ操作により、ライブビュー表示が開始する（ステップＳ３０１）。続いて、システム制御部５０が、撮像装置１００に装着されているレンズユニット３００のレンズスイッチ７４が、ＭＦであるか、ＡＦであるかを判断する（ステップＳ３０２）。ＭＦは、レンズスイッチ７４が、撮影レンズ３１０のフォーカシングをＭａｎｕａｌＦｏｃｕｓ（ＭＦ）動作に切り替えていることを示す。ＡＦは、レンズスイッチ７４が、撮影レンズ３１０のフォーカシングをＡｕｔｏＦｏｃｕｓ（ＡＦ）動作に切り替えていることを示す。
【００４７】
レンズスイッチがＭＦである場合、システム制御部５０は、測距枠サイズをＭＦ用として（ステップＳ３０９）、処理がステップＳ３１０に進む。レンズスイッチ７４がＡＦである場合、システム制御部５０は、レンズシステム制御部３５０から通知されているレンズ情報に含まれる、レンズユニット３００の像倍率変化の情報を確認する（ステップＳ３０３）。
【００４８】
次に、システム制御部５０が、レンズユニット３００に像倍率変化があるかを判断する（ステップＳ３０４）。レンズユニット３００に像倍率変化が無い場合は、システム制御部５０が、所定の測距枠サイズを設定する（ステップＳ３０５）。ＡＦ動作時の測距枠を、以下ではＡＦ枠と記述する。
【００４９】
レンズユニット３００に像倍率変化がある場合には、測距位置が撮像面の周辺領域か中心領域かを判断する（ステップＳ３０６）。ここで、中心領域は撮像面の中心付近に予め設定されており、中心領域の外側の領域を周辺領域とする。この判断処理を行うのは、測距位置が周辺領域にある場合は、像倍率変化により被写体がＡＦ枠から外れる可能性が高くなるためである。なお、測距位置は、システム制御部５０が自動的に設定しても、ユーザが任意の位置を設定してもよい。ユーザが設定する場合、操作部７０に含まれる上下左右方向入力ボタンやタッチパネル方式などにより測距位置を設定可能とする。システム制御部５０が、測距位置が周辺領域にない（中心領域にある）と判断した場合は、処理がステップＳ３０５に進む。
【００５０】
一方、システム制御部５０が、測距位置が周辺領域にあると判断した場合は、システム制御部５０が、レンズユニット３００の焦点位置が所定の合焦範囲に入っているかを判断する（ステップＳ３０７）。この判断処理を行うのは、以下の理由による。レンズユニット３００の焦点位置が合焦範囲内である場合、ＴＶＡＦでレンズを駆動する場合に、その駆動量も少ないので、像倍率変化がほとんど起こらないためＡＦ枠サイズの変更を行う必要がない。しかし、レンズユニット３００の焦点位置が合焦範囲外である場合、被写体を探すためのレンズ駆動（サーチ動作）をする必要があり、レンズの駆動量が多くなる。したがって、レンズユニット３００の焦点位置が合焦範囲外である場合には、レンズの像倍率変化を考慮して、ＡＦ枠のサイズや位置を変更する必要があるためである。
【００５１】
システム制御部５０が、レンズユニット３００の焦点位置が所定の合焦範囲に入っていると判断した場合は、処理がステップＳ３０５に進む。システム制御部５０が、レンズユニット３００の焦点位置が所定の合焦範囲に入っていないと判断した場合は、システム制御部５０は、以下の処理を実行する。システム制御部５０は、レンズの現在位置、レンズ駆動方向、ＡＦ枠の位置、レンズユニット３００の像倍率変化に基づいて、ＡＦ枠サイズを変更／設定し（ステップＳ３０８）、ステップＳ３１０に進む。
【００５２】
以下に、上記ステップＳ３０８におけるＡＦ枠サイズの変更／設定処理について説明する。システム制御部５０は、レンズユニット３００の像倍率に応じて、所定のＡＦ枠を大きくして設定する。より具体的には、像倍率が１．２倍であれば、システム制御部５０は、所定のＡＦ枠サイズよりも１．２倍大きいＡＦ枠を設定する。なお、ＡＦ枠のサイズ変更は、像倍率に比例して大きくすればよく、像倍率の整数倍でなくてもよい。
【００５３】
システム制御部５０は、被写体の撮像面におけるＡＦ枠の位置を判断し、判断したＡＦ枠の位置に基づいて、ＡＦ枠のサイズ／位置を変更するようにしてもよい。例えば、システム制御部５０は、ＡＦ枠が被写体の撮像面の中心近傍であると判断した場合は、ＡＦ枠のサイズを変更する。また、システム制御部５０は、ＡＦ枠が被写体の撮像面の周辺近傍であると判断した場合は、ＡＦ枠のサイズまたは位置を変更する。
【００５４】
ＡＦ枠が被写体の撮像面の周辺近傍であると判断した場合のＡＦ枠のサイズまたは位置の変更処理について説明する。システム制御部５０は、レンズユニット３００が含むレンズの駆動方向が、像倍率が大きくなる方向に行われるか、または小さくなる方向に行われるかを判断する。
【００５５】
像倍率の変化が大きくなる方向にレンズ駆動する場合、レンズ駆動に伴って、像が外側に逃げるように移動すると共に、像が大きくなる。したがって、この場合は、システム制御部５０は、像高の高くなる方向に、ＡＦ枠を広げたり、ＡＦ枠の位置を移動させたりする。像倍率の変化が小さくなる方向にレンズ駆動する場合、レンズ駆動に伴って、像が内側に移動すると共に、像が小さくなる。この場合は、システム制御部５０は、像高の低くなる方向に、ＡＦ枠のサイズを拡大したり、ＡＦ位置を移動させたりする。以上の処理により、ＡＦ枠が撮像面の周辺近傍にある場合においても、精度良く測距を行うことができるようになる。
【００５６】
図３は、ＡＦ枠サイズの概略図の例を示す図である。図３（Ａ）は、所定のＡＦ枠１００を示す。図３（Ｂ）は、像倍率変化のあるレンズが装着され、レンズの駆動方向が像倍率が大きくなる場合のＡＦ枠１０１を示す。図３（Ｃ）は、ＭＦ動作時に設定される測距枠１０２の例である。図３（Ｂ）に示すように、レンズの駆動方向が像倍率が大きくなる場合に設定されるＡＦ枠１０１は、図３（Ａ）中に示すＡＦ枠１００に比べて、像高が高い方向に大きい。
【００５７】
図２に戻って、システム制御部５０が、ＳＷ１をチェックする（ステップＳ３１０）。ＳＷ１をチェックした結果、シャッタスイッチ６２が操作されていた場合は、ステップＳ３１２に進む。そして、システム制御部５０が、測光を行う（ステップＳ３１２）。また、システム制御部５０が、測距を行い（ステップＳ３１３）、ステップＳ３１４に進む。
【００５８】
次に、システム制御部５０が、ＳＷ２のチェックを行う（ステップＳ３１４）。ＳＷ２をチェックした結果、シャッタスイッチ６４がオフである場合は、ステップＳ３１０に戻る。シャッタスイッチ６４がオンである場合は、静止画撮影を行うために、ライブビューを終了する（ステップＳ３１５）。
【００５９】
上記ステップＳ３１０におけるチェックで、シャッタスイッチ６２が操作されていない場合は、処理がステップＳ３１１に進む。そして、システム制御部５０が、操作部７０の操作でライブビューを終了するための操作、具体的には、メニュー表示や再生表示などのスイッチ操作が行われたかをチェックする（ステップＳ３１１）。システム制御部５０が、操作部７０の操作でライブビューを終了するための操作が行われていないと判断した場合は、処理がステップＳ３０２に戻る。システム制御部５０が、操作部７０の操作でライブビューを終了するための操作が行われたと判断した場合は、システム制御部５０が、ライブビューを終了する（ステップＳ３１５）。
【００６０】
本実施形態では、像倍率変化のあるレンズが装着されたときは、ＡＦ枠のサイズを変える場合、その表示も同じく変えるものとして説明した。すなわち、システム制御部５０は、画像表示部２９に指示して、変更後のＡＦ枠を示す情報を画像とともに表示させる。しかし、他の実施形態では、システム制御部５０は、変更後のＡＦ枠を画像とともに表示しないように指示し、変更後のＡＦ枠を、ＡＦ内のコントラスト値に基づくＡＦ処理に用いるのみにしてもよい。また、ＴＶＡＦの評価値を取得するためには、ＡＦ枠の位置や大きさの設定を、センサ蓄積前に行う必要がある。したがって、システム制御部５０は、レンズの像倍率変化の確認処理を、センサ蓄積前のものを用いて行ってもよい。
【００６１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００６２】
５０  システム制御部
１００  撮像装置
３００  レンズユニット
【図１】
2014006477.tif 000003
【図２】
2014006477.tif 000004
【図３】
2014006477.tif 000005